(57)【要約】【課題】出力の飽和による損失を確実に補償した増幅信号が得られる信頼性にすぐれた増幅装置を提供する。【解決手段】入力信号のピークレベルをピーク抑圧回路１３で抑圧し、その抑圧後の信号を主増幅器１６で増幅するとともに、抑圧したピークレベルの信号を抽出し、抽出した信号を補助増幅器１９で増幅して主増幅器１６の出力信号に合成する。この合成後の信号を装置出力とする。【選択図】    図１
2004254008.tif 000002
【特許請求の範囲】
【請求項１】
入力信号のピークレベルを抑圧する抑圧手段と、
入力信号の高レベル側で利得が低下する特性を有し、前記抑圧手段の出力信号を増幅する主増幅器と、
前記抑圧手段で抑圧したピークレベルの信号を抽出する抽出手段と、
前記主増幅器の利得が低下する入力信号レベルで利得が低下しない特性を有し、前記抽出手段の出力信号を増幅する補助増幅器と、
前記主増幅器の出力信号と前記補助増幅器の出力信号とを合成する合成手段と、
を備え、前記合成手段の出力を装置出力とすることを特徴とする増幅装置。
【請求項２】
入力信号を第１系統と第２系統に分配する第１分配手段と、
前記第１系統の信号のピークレベルを抑圧する抑圧手段と、
前記抑圧手段でピークレベルが抑圧された信号を第３系統と第４系統に分配する第２分配手段と、
入力信号の高レベル側で利得が低下する特性を有し、前記第３系統の信号を増幅する主増幅器と、
前記第４系統の信号を前記第２系統の信号から削減する削減手段と、
前記主増幅器の利得が低下する入力信号レベルで利得が低下しない特性を有し、前記削減手段の出力信号を増幅する補助増幅器と、
前記主増幅器の出力信号と前記補助増幅器の出力信号とを合成する合成手段と、
を備え、前記合成手段の出力を装置出力とすることを特徴とする増幅装置。
【請求項３】
入力信号を第１系統と第２系統に分配する第１分配手段と、
前記第１系統の信号のピークレベルを抑圧する抑圧手段と、
前記抑圧手段でピークレベルが抑圧された信号を第３系統と第４系統に分配する第２分配手段と、
入力信号の高レベル側で利得が低下する特性を有し、前記第３系統の信号を増幅する主増幅器と、
前記主増幅器の出力信号に生じる歪みと相似の歪みを前記第４系統の信号に加える歪み発生手段と、
前記歪み発生手段の出力信号を前記第２系統の信号から削減する削減手段と、
前記主増幅器の利得が低下する入力信号レベルで利得が低下しない特性を有し、前記削減手段の出力信号を増幅する補助増幅器と、
前記主増幅器の出力信号と前記補助増幅器の出力信号とを合成する合成手段と、
を備え、前記合成手段の出力を装置出力とすることを特徴とする増幅装置。
【請求項４】
入力信号を第１系統と第２系統に分配する第１分配手段と、
前記第１系統の信号のピークレベルを抑圧する抑圧手段と、
前記抑圧手段でピークレベルが抑圧された信号を第３系統と第４系統に分配する第２分配手段と、
前記第３系統の信号を高周波数変換する第１周波数変換手段と、
入力信号の高レベル側で利得が低下する特性を有し、前記第１周波数変換手段の出力信号を増幅する主増幅器と、
前記主増幅器の出力信号に生じる歪みと相似の歪みを前記第４系統の信号に加える歪み発生手段と、
前記歪み発生手段の信号を前記第２系統の信号から削減する削減手段と、
前記削減手段の出力信号を高周波数変換する第２周波数変換手段と、
前記主増幅器の利得が低下する入力信号レベルでは利得が低下しない特性を有し、前記第２周波数変換手段の出力信号を増幅する補助増幅器と、
前記主増幅器の出力信号と前記補助増幅器の出力信号とを合成する合成手段と、
を備え、前記合成手段の出力を装置出力とすることを特徴とする増幅装置。
【発明の詳細な説明】
【０００１】
【発明の属する技術分野】
この発明は、無線端末たとえば携帯電話器への送信信号を増幅する増幅装置に関する。
【０００２】
【従来の技術】
無線端末たとえば携帯電話器への送信信号は、中継基地に送られ、その中継基地の増幅装置であるパワーアンプで電力増幅されて無線送信される。
【０００３】
中継基地に送られる送信信号には、時々、大きくレベル増加する成分が含まれている。この大きくレベル増加する信号の入力については、パワーアンプの出力が飽和し、送信できなくなる。
【０００４】
このような不具合に対処したパワーアンプとして、図６に示すように、２つの増幅器（主増幅器および補助増幅器）を備えたものがある。
【０００５】
すなわち、パワーアンプ１００は、入力端子１０１への入力信号を分配器１０２で第１，第２系統に分け、その第１系統の信号を主増幅器１０３で増幅し、その主増幅器１０３の出力信号を分配器１０４で第３、第４系統に分け、そのうちの第３系統の信号を遅延線路１０５を介して合成器１０９に供給する。さらに、上記第２系統の信号を遅延線路１０６を介して削減器１０７に供給し、削減器１０７では遅延線路１０６を経た信号から上記第４系統の信号を削減し、その削減器１０７の出力信号を補助増幅器１０８で増幅して合成器１０９に供給する。合成器１０９は、上記遅延線路１０５を経た信号に対し、補助増幅器１０８の出力信号を合成する。この合成後の信号を出力端子１１０から出力するようにしている。
【０００６】
主増幅器１０３は入力信号の高レベル側で利得が低下する特性、つまり入力信号のピークレベル側で出力が飽和する入出力特性を有するのに対し、補助増幅器１０８は少なくとも入力信号の高レベル側では利得が低下しない特性を有している。
【０００７】
遅延線路１０６は主増幅器１０３側の処理にかかる時間と同じ時間遅れを第２系統の信号に与え、遅延線路１０５は補助増幅器１０８側の処理にかかる時間と同じ時間遅れを主増幅器１０３の出力信号に与える。
【０００８】
このパワーアンプ１００によれば、主増幅器１０３の出力の飽和による損失分を削減器１０７で抽出し、その抽出した損失分を補助増幅器１０８で増幅して主増幅器１０３の出力信号に合成するようにしている。この合成により、主増幅器１０３の出力の飽和による損失を補償するようにしている。
【０００９】
【発明が解決しようとする課題】
上記のパワーアンプ１００の場合、削減器１０７に入力される２つの信号のうち、一方は主増幅器１０３で増幅された信号であり、他方はまだ増幅されていない入力信号そのものである。その非増幅の入力信号から主増幅器１０３の増幅信号を削減しても、両信号のレベル差がかなり大きいため、主増幅器１０３の出力飽和による損失分を的確に抽出することが困難である。結果として、損失を確実に補償することが困難である。
【００１０】
この発明は上記の事情を考慮したもので、その目的は、出力の飽和による損失を確実に補償した増幅信号が得られる信頼性にすぐれた増幅装置を提供することにある。
【００１１】
【課題を解決するための手段】
請求項１に係る発明の増幅装置は、入力信号のピークレベルを抑圧し、その抑圧後の信号を主増幅器で増幅するとともに、抑圧したピークレベルの信号を抽出し、抽出した信号を補助増幅器で増幅して主増幅器の出力信号に合成し、合成後の信号を装置出力とする。
【００１２】
請求項２に係る発明の増幅装置は、入力信号を第１，第２系統に分配し、その第１系統の信号のピークレベルを抑圧し、この抑圧後の信号を第３，第４系統に分配する。そして、第３系統の信号を主増幅器により増幅する。主増幅器は、入力信号の高レベル側で利得が低下する特性を有する。また、上記第４系統の信号を上記第２系統の信号から削減し、この削減後の信号を補助増幅器により増幅する。補助増幅器は、主増幅器の利得が低下する入力信号レベルで利得が低下しない特性を有する。この補助増幅器の出力信号と主増幅器の出力信号とを合成して装置出力とする。
【００１３】
請求項３に係る発明の増幅装置は、入力信号を第１，第２系統に分配し、その第１系統の信号のピークレベルを抑圧し、この抑圧後の信号を第３，第４系統に分配する。そして、第３系統の信号を主増幅器により増幅する。主増幅器は、入力信号の高レベル側で利得が低下する特性を有する。また、主増幅器の出力信号に生じる歪みと相似の歪みを上記第４系統の信号に加え、その歪みが加わった信号を上記第２系統の信号から削減し、その削減後の信号を補助増幅器により増幅する。補助増幅器は、主増幅器の利得が低下する入力信号レベルで利得が低下しない特性を有する。この補助増幅器の出力信号と主増幅器の出力信号とを合成して装置出力とする。
【００１４】
請求項４に係る発明の増幅装置は、入力信号を第１，第２系統に分配し、その第１系統の信号のピークレベルを抑圧し、この抑圧後の信号を第３，第４系統に分配する。そして、第３系統の信号を高周波数変換し、その変換後の信号を主増幅器により増幅する。主増幅器は、入力信号の高レベル側で利得が低下する特性を有する。また、主増幅器の出力信号に生じる歪みと相似の歪みを上記第４系統の信号に加え、その歪みが加わった信号を上記第２系統の信号から削減し、その削減後の信号を高周波数変換して補助増幅器により増幅する。補助増幅器は、主増幅器の利得が低下する入力信号レベルで利得が低下しない特性を有する。この補助増幅器の出力信号と主増幅器の出力信号とを合成して装置出力とする。
【００１５】
【発明の実施の形態】
［１］以下、この発明の第１の実施形態について図面を参照して説明する。
図１において、１はベースバンド処理回路で、無線端末たとえば携帯電話器への送信情報を周波数変調する。このベースバンド処理回路１の出力信号が周波数変換器２に供給される。周波数変換器２は、ベースバンド処理回路１の出力信号の周波数（例えば１００ＭＨｚ）を、発振器３から供給される搬送波信号に重畳することにより、無線送信用の高周波数（例えば２ＭＨｚ）に変換する。この周波数変換器２の出力信号が本発明の増幅装置であるパワーアンプ１０に供給される。
【００１６】
パワーアンプ１０は、周波数変換器２の出力信号が供給される入力端子１１を有する。この入力端子１１への入力信号が第１分配器１２の入力端子１２ａに入力される。分配器１２は、入力端子１２ａへの入力信号を出力端子１２ｂ側の第１系統と出力端子１２ｃ側の第２系統に分配する。この分配に伴い、第１系統の信号に対しては位相遅れが加わらず、第２系統の信号に対しては９０°の位相遅れが加わる。分配器１２の第１系統側（端子１２ａ，１２ｂ間）の入出力特性および第２系統側（端子１２ａ，１２ｃ間）の入出力特性は、互いに同じパターンである。
【００１７】
分配器１２から出力される第１系統の信号は、ピーク抑圧回路１３に供給され、そこでピークレベルが抑圧される。すなわち、ピーク抑圧回路１３は、入力信号のピークレベル側のＸ領域で出力が零となるパターンの入出力特性を有している。
【００１８】
このピーク抑圧回路１３の出力信号が第２分配器１４に供給される。分配器１４は、入力信号を第３系統と第４系統に分配する。この分配に伴い、第３系統の信号に対し９０°の位相遅れが加わり、第４系統の信号に対しては位相遅れが加わらない。
【００１９】
分配器１４から出力される第３系統の信号は、遅延線路１５を介して主増幅器１６に供給される。主増幅器１６は、入力信号の高レベル側で利得が低下する特性、つまり入力信号のピークレベル側で出力が図示破線のように飽和する非線形の入出力特性を有している。この出力の飽和部分に対応する入力信号レベルは、上記ピーク抑圧回路１３の抑圧対象であるピークレベル側のＸ領域に相当する。
【００２０】
上記分配器１２から出力される第２系統の信号は、遅延線路１７を介して削減器１８に供給される。また、上記分配器１４から出力される第４系統の信号が削減器１８に供給される。削減器１８は、第４系統の信号を、遅延線路１７を経た第２系統の信号から削減する。この削減では、第２系統の信号に対し９０°の位相遅れが加わり、第４系統の信号に対しては位相遅れが加わらず、両信号が互いに１８０°異なる逆位相となる。
【００２１】
この削減器１８での削減により、上記ピーク抑圧回路１３で抑圧されたピークレベルの信号が抽出される。すなわち、削減器１８の第２系統側の入出力特性は、入力信号のピークレベル側のＸ領域でのみ出力が生じるパターンとなる。
【００２２】
削減器１８の出力信号は、補助増幅器１９に供給される。補助増幅器１９は、主増幅器１６の利得が低下する入力信号レベルでは利得が低下しない特性、要するに、入力信号のピークレベル側のＸ領域を除くレベルでは出力が飽和してもＸ領域では出力の飽和が生じない入出力特性を有している。
【００２３】
そして、主増幅器１６の出力信号が合成器２０の入力端子２０ａに供給され、補助増幅器１９の出力信号が合成器２０の入力端子２０ｂに供給される。合成器２０は、主増幅器１６の出力信号に対し、補助増幅器１９の出力信号を合成する。この合成では、主増幅器１６の出力信号に対して９０°の位相遅れが加わり、補助増幅器１９の出力信号に対しては位相遅れが加わらず、両信号が同位相となる。
【００２４】
合成器２０からは、主増幅器１６の出力の飽和によるＸ領域の損失が補償された形の、全ての入力信号レベルに対して損失のない信号が得られる。この合成器２０の出力信号が装置出力として出力端子２１から出力され、その出力がアンテナ４から無線送信される。
【００２５】
遅延線路１７は、ピーク抑圧回路１３側の処理にかかる時間と同じ時間遅れを第２系統の信号に与えるもので、削減器１８に入力される両信号を同期させるために設けられている。遅延線路１５は、補助増幅器１９側の処理にかかる時間と同じ時間遅れを第３系統の信号に与えるもので、合成器２０に入力される両信号が同期させるために設けられている。
【００２６】
以上のように、入力信号のピークレベルを抑圧し、その抑圧後の信号を主増幅器１６で増幅するとともに、抑圧したピークレベルの信号を抽出し、抽出した信号を補助増幅器１９で増幅して主増幅器１６の出力信号に合成することにより、主増幅器１６の出力の飽和による損失を確実に補償した増幅信号を得ることができる。
【００２７】
しかも、遅延線路１５が主増幅器１６の前段にあるので、主増幅器１６の出力が遅延線路１５で減衰することがない。また、遅延線路１７が補助増幅器１９の前段にあるので、補助増幅器１９の出力が遅延線路１７で減衰することもない。遅延線路１５，１７における無駄な電力消費を防ぐことができる。
【００２８】
主増幅器１６の前でピークレベルが抑圧されるので、主増幅器１６への入力信号の最大レベルと同入力信号の平均レベルとの差いわゆるバックオフ量が小さくなる。バックオフ量が小さくなることにより、主増幅器１６の動作電力を低減することができ、パワーアンプ１０としても効率が大幅に向上する。
【００２９】
なお、補助増幅器１９へ入力される信号はピークレベルの信号であるため、補助増幅器１９については動作電力が増大することになるが、入力信号のピークレベルは時々発生するものであり、平均電力レベルは小さい。よって、補助増幅器１９の動作電力の増大も時々であり、効率向上への悪影響は少ない。
【００３０】
［２］第２の実施形態を図２により説明する。図２において、図１と同一部分には同一符号を付している。
分配器１４と削減器１８との間の通電路に、歪み発生回路２２が設けられている。
歪み発生回路２２は、主増幅器１６の入出力特性と相似の入出力特性を有するもので、主増幅器１６の出力信号に固有の歪みが生じる場合に、その歪みと相似の波形を持つ信号を出力する。たとえば、入力信号のピークレベル側のＸ領域で出力が飽和し且つ入力信号のＹ領域で出力が歪む（例えば落ち込む）ような入出力特性を主増幅器１６が有している場合には、同じく入力信号のＸ領域で出力が飽和してＹ領域で歪む（落ち込む）波形の信号が歪み発生回路２２から出力される。なお、実際には、歪み発生回路２２に入力される信号はピークレベル側のＸ領域が抑圧された状態にあるので、歪み発生回路２２から出力される信号にはＹ領域の歪みだけが生じる。
【００３１】
この歪み発生回路２２の出力信号が分配器１８に供給される。削減器１８は、歪み発生回路２２の出力信号を、遅延線路１７を経た第２系統の信号から削減する。この削減により、上記ピーク抑圧回路１３で抑圧されたＸ領域のピークレベルの信号が抽出されるとともに、歪み発生回路２２で付加されるＹ領域の歪みと逆位相の波形の信号が抽出される。
【００３２】
削減器１８の出力信号は補助増幅器１９で増幅される。補助増幅器１９は、入力信号レベルのＸ領域で出力が飽和せず、しかも入力信号のＹ領域で出力が歪まない（落ち込まない）入出力特性を有している。
【００３３】
そして、合成器２０において、主増幅器１６の出力信号に対し、補助増幅器１９の出力信号が合成される。
【００３４】
合成器２０からは、主増幅器１６の出力の飽和によるＸ領域の損失が補償され且つ主増幅器１６の出力信号に固有のＹ領域の歪みが補償された形の、全ての入力信号レベルに対して損失および歪みのない信号が得られる。この合成器２０の出力信号が装置出力として出力端子２１から出力され、その出力がアンテナ４から無線送信される。
【００３５】
以上の構成により、主増幅器１６の出力の飽和による損失を確実に補償し、しかも主増幅器１６の出力信号に固有の歪みまで補償した増幅信号を得ることができる。
他の構成および作用は第１の実施形態と同じであり、その説明は省略する。
【００３６】
［３］第３の実施形態について説明する。
図３に示すように、ベースバンド処理回路１と入力端子１１との間の周波数変換器２および発振器３が除去され、ベースバンド処理回路１の出力信号が入力端子１１に直接的に入力される。そして、遅延線路１５と主増幅器１６との間の通電路に第１周波数変換器２ａが設けられ、削減器１８と補助増幅器１９との間の通電路に第２周波数変換器２ｂが設けられ、これら周波数変換器２ａ，２ｂに発振器３が接続されている。
【００３７】
周波数変換器２ａは、遅延回路１５を経た信号の周波数（１００ＭＨｚ）を、発振器３からの搬送波信号に重畳することにより、無線送信用の高周波数（２ＭＨｚ）に変換する。周波数変換器２ｂは、削減器１８の出力信号の周波数（１００ＭＨｚ）を、発振器３からの搬送波信号に重畳することにより、無線送信用の高周波数（２ＭＨｚ）に変換する。
【００３８】
この周波数変換器２ａ，２ｂを境にして、パワーアンプ１０内が中間周波数（Ｉｎｔｅｒｍｅｄｉａｔｅ  Ｆｒｅｑｕｅｎｃｙ）の処理回路と無線送信用の高周波数（Ｒａｄｉｏ  Ｆｒｅｑｕｅｎｃｙ）の処理回路とに区分される。
【００３９】
中間周波数の処理回路に含まれる分配器１２、ピーク抑圧回路１３、分配器１４、遅延線路１５，１７、削減器１８、および歪み発生回路２２には、ベースバンド処理回路１で扱うのと同じ周波数の信号が流れる。周波数が高くないので、電力損失が少なくなって、さらなる効率の向上が図れる。また、分配器１２、ピーク抑圧回路１３、分配器１４、遅延線路１５，１７、削減器１８、歪み発生回路２２などの部品に対して望まれる周波数特性の制約が少なくなり、部品の選択肢が拡がる。部品の選択肢が拡がることにより、コストの低減が図れるとともに、パワーアンプ１０の小形化が図れる。
他の構成および作用は第２の実施形態と同じであり、その説明は省略する。
【００４０】
［４］第４の実施形態について説明する。
図４に示すように、第１の実施形態のパワーアンプ１０に代えて、パワーアンプ３０が設けられている。
すなわち、周波数変換器２の出力信号が入力端子３１を介して分配器３２の入力端子３２ａに入力される。分配器３２は、入力端子３２ａへの入力信号を出力端子３２ｂ側の第１系統と出力端子３２ｃ側の第２系統に分配する。この分配に伴い、第１系統の信号に対して９０°の位相遅れが加わり、第２系統の信号に対しては位相遅れが加わらない。分配器３２の第１系統側（端子３２ａ，３２ｂ間）の入出力特性および第２系統側（端子３２ａ，３２ｃ間）の入出力特性は、互いに同じパターンである。
【００４１】
分配器３２の出力端子３２ｂから出力される第１系統の信号は、遅延線路３３を介して合成器３５の入力端子３５ａに供給される。遅延線路３３は、歪み発生回路３４側の処理にかかる時間と同じ時間遅れを分配器３２から出力される第２系統の信号に与えるもので、削減器３５に入力される両信号を同期させるために設けられている。
【００４２】
分配器３２の出力端子３２ｃから出力される第２系統の信号は、歪み発生回路３４に供給される。歪み発生回路３４は、後述の増幅器３６の入出力特性と相似の入出力特性を有するもので、増幅器３６の出力信号に固有の歪み（出力の飽和による損失を含む）が生じる場合に、その歪みと相似の波形を持つ信号を出力する。たとえば、入力信号のピークレベル側のＸ領域で出力が飽和し且つ入力信号のＹ領域で出力が歪む（例えば落ち込む）ような入出力特性を増幅器３６が有している場合には、同じく入力信号のＸ領域で出力が飽和してＹ領域で歪む（落ち込む）波形の信号が歪み発生回路３４から得られる。
【００４３】
この歪み発生回路３４の出力信号が削減器３５の入力端子３５ｂに供給される。削減器３５は、歪み発生回路３４の出力信号を、遅延線路３３を経た信号から削減する。この削減では、遅延線路３３からの信号に対して９０°の位相遅れが加わり、歪み発生回路３４の出力信号に対しては位相遅れが加わらず、両信号が互いに１８０°異なる逆位相となる。
【００４４】
この削減器３５での削減により、増幅器３６の出力とは対称的に、入力信号のピークレベル側のＸ領域で出力が大きく増大し且つ入力信号のＹ領域で出力がわずかに盛り上がる信号が得られる。
【００４５】
このように、増幅器３６の出力の飽和によるＸ領域の損失を見込んで予めレベル増大させ、かつ増幅器３６の出力信号に固有のＹ領域の歪みを見込んで予めレベル変化させた信号が増幅器３６に入力されることにより、結果的に、増幅器３６の出力の飽和によるＸ領域の損失が補償され且つ増幅器３６の出力信号に生じるＹ領域の歪みが補償された形の、全ての入力信号レベルに対して損失および歪みのない増幅信号が得られる。この増幅信号が装置出力として出力端子３７から出力され、その出力がアンテナ４から無線送信される。
【００４６】
遅延線路３３が増幅器３６の前段にあるので、増幅器３６の出力が遅延線路３３で減衰することはなく、遅延線路３３による無駄な電力消費を回避することができる。
【００４７】
［５］第５の実施形態について説明する。
図５に示すように、第１の実施形態のパワーアンプ１０に代えて、パワーアンプ４０が設けられている。
周波数変換器２の出力信号が入力端子４１を介して分配器４２の入力端子４２ａに入力される。分配器４２は、入力端子４２ａへの入力信号を出力端子４２ｂ側の第１系統と出力端子４２ｃ側の第２系統に分配する。この分配に伴い、第１系統の信号に対して９０°の位相遅れが加わり、第２系統の信号に対しては位相遅れが加わらない。分配器４２の第１系統側（端子４２ａ，４２ｂ間）の入出力特性および第２系統側（端子４２ａ，４２ｃ間）の入出力特性は、互いに同じパターンである。
【００４８】
分配器４２の出力端子４２ｂから出力される第１系統の信号は、遅延線路４３を介して主増幅器４４に入力される。主増幅器４４は、図示のように、入力信号のピークレベル側のＸ領域で出力が飽和し且つ入力信号のＹ領域で出力が歪む（例えば落ち込む）ような入出力特性を有している。この主増幅器４４の出力信号が合成器５０の入力端子５０ａに供給される。
【００４９】
分配器３２の出力端子３２ｃから出力される第２系統の信号は、分配器４５の入力端子４５ａに入力される。分配器４５は、入力端子４５ａへの入力信号を出力端子４５ｂ側の第３系統と出力端子４５ｃ側の第４系統に分配する。この分配に伴い、第３系統の信号に対して９０°の位相遅れが加わり、第４系統の信号に対しては位相遅れが加わらない。
【００５０】
この分配器４５の出力端子４５ｂから出力される第３系統の信号は、遅延線路４６を介して削減器４８の入力端子４８ａに供給される。
【００５１】
分配器４５の出力端子４５ｃから出力される第４系統の信号は、歪み発生回路４７に供給される。歪み発生回路４７は、後述の補助増幅器４９の入出力特性と相似の入出力特性を有するもので、主増幅器４４の出力信号に生じる歪み（出力の飽和による損失を含む）と相似の波形を持つ信号を出力する。すなわち、入力信号のＸ領域で飽和してＹ領域で歪む（落ち込む）波形の信号が歪み発生回路２２から得られる。
【００５２】
この歪み発生回路４７の出力信号が削減器４８の入力端子４８ｂに供給される。削減器４８は、歪み発生回路４７の出力信号を遅延線路４６を経た信号から削減する。この削減では、遅延線路４６からの信号に対して９０°の位相遅れが加わり、歪み発生回路４７の出力信号に対しては位相遅れが加わらず、両信号が互いに１８０°異なる逆位相となる。
【００５３】
この削減器４８での削減により、主増幅器４４の出力とは対称的に、入力信号のピークレベル側のＸ領域で出力が大きく増大し且つ入力信号のＹ領域で出力がわずかに盛り上がる信号が得られる。この出力信号が補助増幅器４９で増幅されて合成器５０の入力端子５０ｂに供給される。補助増幅器４９は、入力信号レベルのＸ領域で出力が飽和せず且つＹ領域で出力が歪まない入出力特性を有している。
【００５４】
そして、合成器５０において、主増幅器４４の出力信号に対し、補助増幅器４９の出力信号が合成される。
【００５５】
合成器５０からは、主増幅器４４の出力の飽和によるＸ領域の損失が補償され且つ主増幅器４４の出力信号に生じるＹ領域の歪みが補償された形の、全ての入力信号レベルに対して損失および歪みのない信号が得られる。この合成器５０の出力信号が装置出力として出力端子５１から出力され、その出力がアンテナ４から無線送信される。
【００５６】
以上の構成により、主増幅器５５の出力の飽和による損失を補償し、しかも主増幅器５５の出力信号に固有の歪みまで補償した増幅信号を得ることができる。
遅延線路４３が主増幅器４４の前段にあるので、主増幅器４４の出力が遅延線路４３で減衰することがない。また、遅延線路４６が補助増幅器４９の前段にあるので、補助増幅器４９の出力が遅延線路４６で減衰することもない。遅延線路４３，４６による無駄な電力消費を回避することができる。
なお、この発明は上記各実施形態に限定されるものではなく、要旨を変えない範囲で種々変形実施可能である。
【００５７】
【発明の効果】
以上述べたようにこの発明によれば、出力の飽和による損失を確実に補償した増幅信号が得られる信頼性にすぐれた増幅装置を提供できる。
【図面の簡単な説明】
【図１】第１の実施形態の構成を示すブロック図。
【図２】第２の実施形態の構成を示すブロック図。
【図３】第３の実施形態の構成を示すブロック図。
【図４】第４の実施形態の構成を示すブロック図。
【図５】第５の実施形態の構成を示すブロック図。
【図６】従来装置の構成を示すブロック図。
【符号の説明】
１…ベースバンド処理回路、２…周波数変換器、３…発振器、４…アンテナ、１０…パワーアンプ、１１…入力端子、１２…第１分配器、１３…ピーク抑圧回路、１４…第２分配器、１５…遅延線路、１６…主増幅器、１７…遅延線路、１８…削減器、１９…補助増幅器、２０…合成器、２１…出力端子、２２…歪み発生回路、３０，４０、１００…パワーアンプ
【図１】
2004254008.tif 000003
【図２】
2004254008.tif 000004
【図３】
2004254008.tif 000005
【図４】
2004254008.tif 000006
【図５】
2004254008.tif 000007
【図６】
2004254008.tif 000008